(57)【特許請求の範囲】
【請求項１】
照明装置と、該照明装置の光出射面の側に重ねて配置された表示パネルと、を有する液晶装置であって、
前記照明装置は、
前記表示パネルに重ねて配置された導光板と、
該導光板の側端面のうち、光入射部とされた側端面に発光面を向けて前記光入射部の一方端側から他方端側に向かって配列された複数の発光素子と、
前記複数の発光素子をグループ毎に駆動する光源駆動部と、
前記複数の発光素子が一方面側に実装された光源用基板と、
該光源用基板の他方面側に重ねて配置された光源支持部材と、
前記複数のグループのうち、隣り合うグループの間に設けられ、前記光源用基板の一方面側で少なくとも一部が露出した状態で当該光源用基板を前記光源支持部材に位置決めする位置決め用構造物と、
を備え、
前記グループ内では、前記一方端側から前記他方端側に向かって前記発光素子が等間隔に配置され、
前記複数の発光素子は、前記一方端側から前記他方端側に向かって等間隔に設けられていることを特徴とする表示装置。
【請求項２】
前記光源用基板は、前記複数のグループのうち、隣り合うグループの間で分割されていることを特徴とする請求項１に記載の表示装置。
【請求項３】
照明装置と、該照明装置の光出射面の側に重ねて配置された表示パネルと、を有する液晶装置であって、
前記照明装置は、
前記表示パネルに重ねて配置された導光板と、
該導光板の側端面のうち、光入射部とされた側端面に発光面を向けて前記光入射部の一方端側から他方端側に向かって配列された複数の発光素子と、
前記複数の発光素子をグループ毎に駆動する光源駆動部と、
前記複数の発光素子が一方面側に実装された光源用基板と、
該光源用基板の他方面側に重ねて配置された光源支持部材と、
前記複数のグループのうち、隣り合うグループの間に設けられ、前記光源用基板の一方面側で少なくとも一部が露出した状態で当該光源用基板を前記光源支持部材に位置決めする位置決め用構造物と、
を備え、
前記光源用基板は、前記一方端側から前記他方端側に向けて一体に延在していることを特徴とする表示装置。
【請求項４】
前記グループ内における前記発光素子の間隔と、前記複数のグループのうち、隣り合うグループに属して隣り合う前記発光素子同士の間隔とが相違していることを特徴とする請求項３に記載の表示装置。
【請求項５】
前記複数の発光素子は、前記一方端側から前記他方端側に向かって複数のグループに分割されており、前記光源駆動部は、前記表示パネルに対する駆動に連動して前記グループ毎に発光量を制御することを特徴とする請求項１乃至請求項４のいずれか一項に記載の表示装置。
【請求項６】
前記位置決め用構造物は、前記光源用基板の前記一方面側から止められたネジであることを特徴とする請求項１乃至請求項５のいずれか一項に記載の表示装置。
【請求項７】
請求項１乃至請求項６のいずれか一項に記載の表示装置を備えていることを特徴とする電子機器。
【発明の詳細な説明】
【技術分野】
【０００１】
本発明は、照明装置および表示パネルを備えた表示装置、該表示装置を備えた電子機器、および当該照明装置に関するものである。
【背景技術】
【０００２】
各種の表示装置のうち、液晶装置は、バックライト装置と称せられる照明装置と、この照明装置の光出射面の側に重ねて配置された透過型や半透過型の表示パネル（液晶パネル）とを有しており、照明装置では、導光板の側端面のうち、光入射部とされる側端面に沿って複数の発光素子が設けられている（特許文献１参照）。
【０００３】
かかる構成の照明装置において、導光板に対して発光素子を配置するにあたっては、例えば、図１０（ａ）、（ｂ）に示すように、光源用基板８８の一方面８８１側に複数の発光素子８９を実装するとともに、光源用基板８８をネジ８６によって金属製の光源支持部材６０に固定した構成が採用されることが多い。その際、特許文献１では、光源支持部材６０の側からネジ８６を止めているが、周辺のスペース的な制約や作業のしやすさ等から、光源用基板８８の一方面８８１側からネジ８６を止めざるを得ないことがある。
【０００４】
一方、複数の発光素子８９をグループ分けし、グループ毎に出射光強度を制御することにより、照明装置からの照明光の出射光強度を領域毎に制御するローカルディミング技術が提案されており、かかる技術によれば、コントラストの向上や動画性能の向上を図ることができる。
【先行技術文献】
【特許文献】
【０００５】
【特許文献１】特開２００９−３０８１号公報
【発明の概要】
【発明が解決しようとする課題】
【０００６】
しかしながら、図１０（ａ）、（ｂ）に示すように、光源用基板８８の一方面８８１側からネジ８６を止めた場合、光源用基板８８の長手方向において、ネジ８６が配置された箇所の表面状態がその両側と相違することになる。その結果、照明光に輝度ムラが発生し、画像品位の低下が目立つという問題点がある。特に、光源用基板８８の長手方向において発光素子８９を複数のグループＧ（グループＧａ、Ｇｂ、Ｇｃ・・）にグループ分けし、グループＧ毎に出射光強度を制御した場合には、グループＧ内において、ネジ８６によって表面（構造形状、凹凸、段差、表面粗さ、色、材質）状態が、他の部分における表面状態と相違することから、光の散乱状態や反射状態に不連続性、或は不均一性が生じるため、導光板の光入射面から取り込まれる光量に分布（バラつき）が生じてしまい、結果として面状（板状）の照明装置として輝度の均一性が得られなく、画像品位の低下が目立つという問題点がある。
【０００７】
かかる問題点は、例えば、ネジ８６が設けられる個所を凹部８８６とし、ネジ頭を光源用基板８８の一方面８８１側から突出させないようにした場合でも同様に発生する。また、ネジ８６に代えて、フックにより光源用基板８８を保持した構造や、光源用基板８８に設けた穴に光源支持部材６０の凸部が嵌合した構造等を採用しても、フックや凸部等の位置決め用構造物が光源用基板の一方面側で露出している限り、上記の問題点は発生する。
【０００８】
以上の問題点に鑑みて、本発明の課題は、複数の発光素子が一方面側に実装された光源用基板を位置決めする位置決め用構造物が光源用基板の一方面側で露出している場合でも、かかる位置決め用構造物に起因する表示品位の低下を目立たなくすることができる表示装置、該表示装置を備えた電子機器、および照明装置を提供することにある。
【課題を解決するための手段】
【０００９】
上記課題を解決するために、本発明は、照明装置と、該照明装置の光出射面の側に重ねて配置された表示パネルと、を有する表示装置であって、前記照明装置は、前記表示パネルに重ねて配置された導光板と、該導光板の側端面のうち、光入射部とされた側端面に発光面を向けて前記光入射部の一方端側から他方端側に向かって配列されているとともに、前記一方端側から前記他方端側に向かって複数のグループに分割された複数の発光素子と、前記表示パネルに対する駆動に連動して前記グループ毎に発光量を制御する光源駆動部と、前記複数の発光素子が一方面側に実装された光源用基板と、該光源用基板の他方面側に重ねて配置された光源支持部材と、前記複数のグループのうち、隣り合うグループの間に設けられ、前記光源用基板の一方面側で少なくとも一部が露出した状態で当該光源用基板を前記光源支持部材に位置決めする位置決め用構造物と、を備えていることを特徴とする。
【００１０】
本発明において、照明装置では、複数の発光素子が光源用基板の一方面に実装され、かかる光源用基板は、位置決め用構造物によって他方面側の光源支持部材に支持されている。また、複数の発光素子は複数のグループに分割されており、光源駆動部は、表示パネルに対する駆動に連動してグループ毎に発光量を切り換え、照明装置からの照明光の出射光強度を領域毎に制御する。ここで、位置決め用構造物は、光源用基板の一方面側で少なくとも一部が露出しているため、光源用基板の一方面の表面状態は、位置決め用構造物が位置する部分が他の領域と相違しているが、位置決め用構造物は、隣り合うグループの間に設けられている。このため、位置決め用構造物が原因で照明光の出射光強度が周囲と不連続になる箇所が発生するとしても、かかる不連続部分は、照明装置からの照明光の出射光強度が制御される領域の間に位置するので、目立たない。従って、位置決め用構造物に起因して、照明光の出射光強度が不連続となる部分が発生しても、かかる不連続に起因する表示品位の低下が目立たない。
【００１１】
本発明において、前記位置決め用構造物は、例えば、前記光源用基板の前記一方面側から止められたネジである構成を採用することができる。かかる構成によれば、光源用基板の位置決めに加えて、固定を行うこともできる。
【００１２】
本発明において、前記グループ内では、前記一方端側から前記他方端側に向かって前記発光素子が等間隔に配置されていることが好ましい。かかる構成によれば、同一のグループに属する発光素子から出射された光源光が照明光として出射された際、かかる照明光では光強度分布が均一である。
【００１３】
本発明において、前記複数の発光素子は、前記一方端側から前記他方端側に向かって等間隔に設けられている構成を採用することができる。
【００１４】
本発明において、前記グループ内における前記発光素子の間隔と、前記複数のグループのうち、隣り合うグループに属して隣り合う前記発光素子同士の間隔とが相違している構成を採用してもよい。
【００１５】
本発明において、前記光源用基板は、前記一方端側から前記他方端側に向けて一体に延在していることが好ましい。かかる構成によれば、照明装置の組み立て等が容易である。また、本発明は、前記光源用基板は、前記複数のグループのうち、隣り合うグループの間で分割されている構成を採用してもよい。
【００１６】
本発明に係る表示装置は、液晶テレビ等の電子機器に用いられる。
【００１７】
本発明に係る照明装置は、導光板と、該導光板の側端面のうち、光入射部とされた側端面に発光面を向けて前記光入射部の一方端側から他方端側に向かって配列されているとともに、前記一方端側から前記他方端側に向かって複数のグループに分割された複数の発光素子と、前記グループ毎に発光量を制御する光源駆動部と、前記複数の発光素子が一方面側に実装された光源用基板と、該光源用基板の他方面側に重ねて配置された光源支持部材と、前記複数のグループのうち、隣り合うグループの間に設けられ、前記光源用基板の一方面側で少なくとも一部が露出した状態で当該光源用基板を前記光源支持部材に位置決めする位置決め用構造物と、を備えていることを特徴とする。
【００１８】
本発明において、複数の発光素子は光源用基板の一方面に実装され、かかる光源用基板は、位置決め用構造物によって他方面側の光源支持部材に支持されている。また、複数の発光素子は複数のグループに分割されており、光源駆動部は、グループ毎に発光量を切り換え、照明装置からの照明光の出射光強度を領域毎に制御する。ここで、位置決め用構造物は、一方面側に少なくとも一部が露出しているため、光源用基板の一方面の表面状態は、位置決め用構造物が位置する部分が他の領域と相違しているが、位置決め用構造物は、隣り合うグループの間に設けられている。このため、位置決め用構造物が原因で照明光の出射光強度が周囲と不連続になる箇所が発生するとしても、かかる不連続部分は、照明装置からの照明光の出射光強度が制御される領域の間に位置するので、目立たない。
【図面の簡単な説明】
【００１９】
【図１】本発明の実施の形態１に係る表示装置を備えた液晶テレビ（電子機器）の説明図である。
【図２】本発明の実施の形態１に係る表示装置の全体構成を示す説明図である。
【図３】本発明の実施の形態１に係る表示装置をさらに細かく分解したときの分解斜視図である。
【図４】本発明の実施の形態１に係る表示装置の要部の断面図である。
【図５】本発明の実施の形態１に係る表示装置の照明装置に用いた発光素子および光源用基板等の説明図である。
【図６】本発明の実施の形態２に係る表示装置の照明装置に用いた発光素子および光源用基板等の説明図である。
【図７】本発明の実施の形態３に係る表示装置の照明装置に用いた発光素子および光源用基板等の説明図である。
【図８】本発明の実施の形態４に係る表示装置の照明装置に用いた発光素子および光源用基板等の説明図である。
【図９】本発明の実施の形態５に係る表示装置の要部の断面図である。
【図１０】従来の照明装置の説明図である。
【発明を実施するための形態】
【００２０】
図面を参照して、液晶テレビ用の表示装置に本発明を適用した形態を説明する。なお、以下の説明で参照する図においては、各層や各部材を図面上で認識可能な程度の大きさとするため、各層や各部材毎に縮尺を異ならしめてある。また、以下の説明では、図１０を参照して説明した構成との対応関係が分かりやすいように、対応する部分には同一の符号を付して説明する。また、以下の説明においては、導光板や液晶パネルの面内方向で互いに交差する一方の方向（図に示す導光板や液晶パネルの長辺が延在する方向）をＸ軸方向および他方の方向（図に示す導光板や液晶パネルの短辺が延在する方向）をＹ軸方向とし、Ｘ軸方向およびＹ軸方向に交差する方向（導光板と液晶パネルが積層される方向／厚み方向）をＺ軸方向とする。また、以下に参照する図面では、Ｘ軸方向の一方側をＸ１側とし、他方側をＸ２側とし、Ｙ軸方向の一方側（液晶パネルの張り出し部分が配置される方向）をＹ１側とし、これと対向する他方側をＹ２側とし、Ｚ軸方向の一方側（導光板の背面に向けられた方向）をＺ１側（下側）とし、これと対向する他方側（照明光や表示光が出射される側）をＺ２側（上側）として表してある。
【００２１】
［実施の形態１］
（全体構成）
図１は、本発明の実施の形態１に係る表示装置を備えた液晶テレビ（電子機器）の説明図であり、図１（ａ）、（ｂ）は、液晶テレビの外観を模式的に示す説明図、および表示装置の電気的構成を示すブロック図である。
【００２２】
図１（ａ）に示す電子機器２０００は液晶テレビであり、かかる液晶テレビに用いた表示装置１００は、表示パネルとして透過型の表示パネル１０を有している。図１（ｂ）に示すように、表示装置１００は、図２等を参照して後述する表示パネル１０の他に、外部からフレキシブル配線基板を介して表示パネル１０に画像信号を供給する画像信号供給部２７０と、表示パネル１０の背面に重ねて配置されて照明光を供給する照明装置８とを有している。また、表示装置１００は、表示パネル１０においてＸ軸方向に延在する走査線を駆動する走査線駆動回路１０４と、表示パネル１０においてＹ軸方向に延在するデータ線を駆動するデータ線駆動回路１０１とを有している。走査線駆動回路１０４およびデータ線駆動回路１０１については、双方が表示パネル１０に内蔵された構成を採用することができる。また、走査線駆動回路１０４およびデータ線駆動回路１０１のうちの一方が表示パネル１０に内蔵され、他方が表示パネル１０にＣＯＧ実装された駆動用ＩＣ、あるいは、表示パネル１０に電気的に接続された回路基板２５０に実装された駆動用ＩＣに内蔵された構成を採用することができる。さらに、走査線駆動回路１０４およびデータ線駆動回路１０１の双方が表示パネル１０とは別体の駆動用ＩＣに内蔵された構成を採用することができる。
【００２３】
本形態において、照明装置８は、表示パネル１０に重ねて配置された導光板８０と、導光板８０の側端面のうち、光入射部８０ａとされた側端面に沿って配置された複数の発光素子８９と、複数の発光素子８９が実装された光源用基板８８とを有しており、複数の発光素子８９の発光面と導光板８０の光入射部８０ａとは対向している。
【００２４】
かかる表示装置１００においては、表示パネル１０での駆動に対応させて照明装置８からの照明光の出射光強度を領域毎に制御することにより、コントラストの向上や動画性能の向上を図ることができる。例えば、表示パネル１０で表示される領域１０ａ〜１０ｐ毎の画像の明るさを検出し、かかる明るさの程度（度合い）に応じて、明るく表示される領域には照明装置８から発光強度が大きい照明光（輝度が高い照明光）を出射し、暗く表示される領域には照明装置８から発光強度が小さい照明光（輝度が低い照明光）を出射する。かかるローカルディミング方式によれば、コントラストの向上や動画性能の向上、さらには低消費電力化を図ることができる。
【００２５】
そこで、本形態の表示装置１００では、複数の発光素子８９は、後述するように、表示パネル１０の複数の領域１０ａ〜１０ｐに対応する複数のグループに分けられている。また、表示装置１００は、表示パネル１０の領域１０ａ〜１０ｈ毎の画像の明るさを検出する輝度分布検出部２９０と、輝度分布検出部２９０での検出結果に基づいて、複数の発光素子８９からの出射光強度をグループ毎に制御する光源駆動部２８０とを有しており、光源駆動部２８０は、同一のグループに属する発光素子８９には同一の駆動電流を供給する。輝度分布検出部２９０は、例えば、画像信号供給部２７０と同一の制御用ＩＣ２６０に構成される。
【００２６】
（表示装置１００の具体的構成）
図２は、本発明の実施の形態１に係る表示装置１００の全体構成を示す説明図であり、図２（ａ）は表示装置１００の斜視図であり、図２（ｂ）は分解斜視図である。図３は、本発明の実施の形態１に係る表示装置１００をさらに細かく分解したときの分解斜視図である。図４は、本発明の実施の形態１に係る表示装置１００の要部の断面図である。
【００２７】
図２、図３および図４において、本形態の表示装置１００は、概ね、いわゆるバックライト装置と称せられる照明装置８と、この照明装置８の上面に重ねて配置された透過型の表示パネル１０と称せられる透過型の液晶パネルを備えている。また、表示装置１００は、表示パネル１０および照明装置８を内側に保持する樹脂製の樹脂フレーム３０と、樹脂フレーム３０の下側（表示面とは反対側／Ｚ軸方向の一方側Ｚ１）に配置された金属性で箱状の下フレーム４０と、樹脂フレーム３０の上側（表示面の側／Ｚ軸方向の他方側Ｚ２）に配置された金属性で枠状の上フレーム５０とを備えている。
【００２８】
樹脂フレーム３０は、表示パネル１０を周りで囲む矩形枠状を有しており、表示パネルの外周部の端部を位置決め可能に支持している。また、本形態において、樹脂フレーム３０は、表示パネル１０の４つの辺毎に分割された４本のフレーム板３１〜３４で構成されている。本形態において、樹脂フレーム３０は黒色であり、光吸収部材として機能することによって、照明装置８内での迷光の発生を防止する。フレーム板３１〜３４は各々、フレーム板３１〜３４の外面側で下方（厚み・高さ方向）に延在する側板部３１１、３２１、３３１、３４１と、フレーム板３１〜３４の高さ方向の途中位置からフレーム板３１〜３４の内面から内側に張り出した突板部３１２、３２２、３３２、３４２とを備えている。このため、フレーム板３１〜３４の内側には、突板部３１２、３２２、３３２、３４２によって段部３１３、３２３、３３３、３４３が形成されており、かかる段部３１３、３２３、３３３、３４３と突板部３１２、３２２、３３２、３４２とによって表示パネル１０が保持及び段部における度当たりによって位置決めされている。また、突板部３１２の下側には、照明装置８の導光板８０や発光素子８９等が配置されている。
【００２９】
下フレーム４０は、ＳＵＳ板等の薄い金属板に対するプレス加工等により形成されてなる。下フレーム４０は、底板部４５と、底板部４５の外周縁から起立する４つの側板部４１〜４４とを備えており、上面が開口する矩形の箱状になっている。かかる下フレーム４０の側板部４１〜４４の外側に樹脂フレーム３０の側板部３１１〜３４１が重なっている。
【００３０】
上フレーム５０も、下フレーム４０と同様、ＳＵＳ板等の薄い金属板に対するプレス加工等により形成されてなる。上フレーム５０は、平板枠状（平板額縁状）の上板部５５と、上板部５５の外周縁から下方（表示装置の厚み方向）に折れ曲がった４つの側板部５１〜５４とを備えており、上板部（上面）は表示パネル１０の表示領域（１０ａ〜１０ｐ）に対応して開口されており、下側においては側板部によってこれより広く開口された構造となっている。側板部５１〜５４は、樹脂フレーム３０の側板部３１１、３２１、３３１、３４１の外側に重なっている。上板部５５には、表示パネル１０から出射された光を出射する矩形の開口部５５０が形成されており、上板部５５は、表示パネル１０の表示光出射側のうち、外周端部を全周にわたって覆っている。
【００３１】
このように構成した上フレーム５０、樹脂フレーム３０、および下フレーム４０はボルト（図示せず）等により結合されて、内側に表示パネル１０や照明装置８を保持する。ここで、樹脂フレーム３０の突板部３１２、３２２、３３２、３４２の下面および上面には、樹脂フレーム３０よりも摩擦係数の大きな材質からなる可撓性シート７１、７２が貼られている。このため、表示装置１００を組み立てた際、表示パネル１０は可撓性シート７２を介して突板部３１２、３２２、３３２、３４２に支持されるとともに位置ズレが生じ難いように当接されて固定されている。また、表示装置１００を組み立てた際、照明装置８の光学シート（拡散シート１８２、プリズムシート１８３、１８４等）は可撓性シート７１を介して支持されるとともに、位置ズレが生じ難いように当接されて固定されている。
【００３２】
（表示パネル１０の構成）
図２、図３および図４に示すように、表示パネル１０は、四角形の平面形状を有しており、画素電極（図示せず）等が形成された素子基板１１と、素子基板１１に対して所定の隙間を介して対向配置された対向基板１２と、この対向基板１２と素子基板１１とを貼り合せるシール材１４とを備えている。かかる表示パネル１０では、シール材１４で囲まれた領域内に液晶層１３が保持されている。素子基板１１および対向基板１２はガラス基板等の透光性基板からなる。素子基板１１では、Ｘ軸方向に複数本の走査線（図示せず）が延在している一方、Ｙ軸方向には複数本のデータ線が延在しており、走査線とデータ線（図示せず）との交差に対応して、スイッチング素子（図示せず）および画素電極が設けられている。
【００３３】
本形態では、対向基板１２が表示光の出射側に配置され、素子基板１１は照明装置８の側に配置されている。また、対向基板１２において、素子基板１１と対向する面には、シール材１４の内縁に沿って、遮光層からなる額縁層（図示せず）が形成されている。表示パネル１０は、ＴＮ（Twisted Nematic）方式、ＥＣＢ（Electrically Controlled Birefringence）方式、あるいはＶＡＮ（Vertical Aligned Nematic）方式の液晶パネルとして構成されており、素子基板１１に画素電極が形成され、対向基板１２に共通電極（図示せず）が形成されている。なお、表示パネル１０がＩＰＳ（In Plane Switching）方式や、ＦＦＳ（Fringe Field Switching）方式の液晶パネルである場合、共通電極は、素子基板１１の側に設けられる。また、素子基板１１が対向基板１２に対して表示光の出射側に配置されることもある。表示パネル１０の上面には上偏光板１８が重ねて配置され、表示パネル１０の下面と照明装置８との間には下偏光板１７が配置されている。
【００３４】
本形態において、素子基板１１は対向基板１２より大きい。このため、素子基板１１は、対向基板１２のＹ軸方向の一方の端部から張り出した張り出し部分１１０を有しており、かかる張り出し部分１１０の上面にはフレキシブル配線基板２００が接続されている。フレキシブル配線基板２００は、複数枚のフレキシブル配線基板を接続した構造を有しており、回路基板２５０（ＰＣＢ基板）にそれぞれ接続されている。従って、図１を参照して説明した画像信号供給部２７０を構成する制御用ＩＣ２６０や、光源駆動部２８０を構成する光源駆動用ＩＣ（図示せず）は、回路基板２５０あるいはフレキシブル配線基板２００に実装されている。また、画像信号供給部２７０を構成する制御用ＩＣについては、表示パネル１０の張り出し部分１１０の上面にＣＯＧ実装される場合もある。
【００３５】
（照明装置８の構成）
図５は、本発明の実施の形態１に係る表示装置１００の照明装置８に用いた発光素子８９および光源用基板８８等の説明図であり、図５（ａ）、（ｂ）、（ｃ）は、発光素子８９等を光源用基板８８の一方面（発光素子８９が実装される側の面）からみたときの斜視図、光源用基板８８が延在する方向（矩形状の長辺）に対して直交する方向（短辺方向／幅方向）から発光素子８９等をみたときの説明図、および発光素子８９の点灯状態を示す説明図である。
【００３６】
図３、図４および図５に示すように、照明装置８は、表示パネル１０の下面側に重ねて配置された導光板８０と、導光板８０の光入射部８０ａに発光面８９ａを向けて光入射部８０ａの一方端側（Ｘ軸方向の一方側Ｘ１）から他方端側（Ｘ軸方向の他方側Ｘ２）に向かって配列された複数の発光素子８９とを備えている。すなわち、複数の発光素子８９は、導光板８０の光入射部８０ａが延在する方向に、光入射部８０ａと対向した状態で配列している。本形態において、複数の発光素子８９は、光入射部８０ａに沿ってＸ軸方向に延在する光源用基板８８の一方面８８１に実装されている。発光素子８９は、光源光として白色光を出射するＬＥＤ（Light Emitting Diode）である。
【００３７】
本形態の照明装置８において、導光板８０の側端面８０１、８０２、８０３、８０４のうち、Ｙ軸方向で相対向する２つの側端面８０１、８０３が光入射部８０ａとして利用されている。このため、複数の発光素子８９は、導光板８０の２つの光入射部８０ａ（側端面８０１、８０３）に発光面８９ａを向け、２つの光入射部８０ａ（側端面８０１、８０３）の各々の一方端側から他方端側に向かって一列に配列されている。また、対向する２つの光入射部８０ａ（側端面８０１、８０３）のそれぞれに対応して配置された光源用基板８８は、光入射部８０ａ（側端面８０１、８０３）の延在する方向に沿ってそれぞれが延在した矩形形状とされており、それぞれの光源用基板８８の各々の一方面８８１に複数の発光素子８９が実装されている。光源用基板８８の一方面８８１には、導光板８０の角部（表示パネル１０の角部）に相当する一方の端部にコネクタ８７が実装されており、かかるコネクタ８７は、光源用基板８８を介して発光素子８９に駆動電流を供給するのに用いられている。
【００３８】
本形態において、導光板８０は、アクリル樹脂やポリカーボネート樹脂等からなる透光性の樹脂板であり、導光板８０の下面８０ｃと下フレーム４０の底板部４５との間には反射シート１８７が重ねて配置され、導光板８０の上面（光出射面８０ｂ）と表示パネル１０との間には拡散シート１８２、プリズムシート１８３、１８４等の光学シートが重ねて配置されている。本形態において、２枚のプリズムシート１８３、１８４は、互いの稜線が直交するように配置されている。このため、導光板８０の光出射面８０ｂから出射された照明光は、拡散シート１８２によって全方向に拡散した後、２枚のプリズムシート１８３、１８４によって、表示パネル１０の正面方向に照明輝度のピークを持つような指向性が付与されている。導光板８０において、反射シート１８７が位置する側の面には、レーザー加工等による凹状の微細な窪みや、散乱部材の印刷層からなる散乱パターンが形成されており、本形態において、散乱パターンの密度は、発光素子８９から離れるに従って高くなっている。このため、導光板８０から出射される照明光の強度分布（輝度分布）は、発光素子８９からの距離にかかわらず、均一化されている。かかる散乱パターンとして、本形態では、導光板８０の下面８０ｃに微細な凹状の窪み８０ｅが設けられている。
【００３９】
下フレーム４０の底板部４５は、光入射部８０ａとなる側端面８０１、８０３が備えられる部分の導光板８０と重なる領域において、部分的に導光板８０の下面８０ｃと下フレーム４０との間に隙間が確保できるように段差が形成されており、導光板８０に向けて折れ曲がっている。それにより、導光板８０の下面８０ｃと底板部４５との間に反射シート１８７と光源支持部材６０の下板部６１とを隙間の間で挟持可能になっている。また、下フレーム４０の底板部４５を導光板８０に向けて部分的に折り曲げたことによって下フレーム４０の背面側には凹部が形成されるので、下フレーム４０の底板部４５の下面（背面）までフレキシブル配線基板２００を折り曲げて延在させるとともに、かかる凹部内にフレキシブル配線基板２００と接続される回路基板２５０が凹部の深さ内に収納されるように配置されている。このため、照明装置８の薄型化を図ることができる。
【００４０】
本形態において、光源用基板８８は、発光素子８９が実装されている一方面８８１が導光板８０の光入射部８０ａに対向するように配置されている。また、光源用基板８８は、光入射部８０ａに沿って延在する板状の金属板８８７の一方面８８１側に、配線パターンやランドが絶縁層とともに設けられた構造を有している。かかる構成は、例えば、金属板８８７の一方面８８１側に、樹脂基材層、配線パターンおよび絶縁保護層等がこの順に積層されたフレキシブル配線基板８８８を貼り合わせることにより実現することができる。従って、金属板８８７と、配線パターンおよび発光素子８９のチップが実装されるランドは、電気的に絶縁性が確保されている。本形態において、金属板８８７はアルミニウム板からなり、金属板８８７は、光源用基板８８の機械的強度を確保するとともに、発光素子８９から発熱される熱の放熱板としても機能する。
【００４１】
ここで、各々の光源用基板８８の他方面８８２側には、光源用基板８８を保持する光源支持部材６０がそれぞれ配置されており、光源支持部材６０は、下フレーム４０および樹脂フレーム３０の間に配置されて保持されている。本形態において、光源支持部材６０は、光源用基板８８の他方面８８２に沿って延在する棒状の金属部品であり、光源用基板８８の他方面８８２の全面と、支持板部６２の基板保持面６２０とが密着して固定されている。また、光源支持部材６０は、下フレーム４０の底板部４５に重なる下板部６１と、下板部６１の幅方向の途中位置から上方に突出した壁面を構成する支持板部６２とを有している。また、光源支持部材６０は、支持板部６２から導光板８０が位置する側とは反対側に折れ曲がった上板部６３を支持板部６２の上端側（下板部６１と反対の側）に備えており、上板部６３は、ネジ等によって上フレーム５０の上板部５５および樹脂フレーム３０の上板部の少なくともいずれか一方に固定されている。
【００４２】
かかる構成の光源支持部材６０において、支持板部６２の導光板８０が位置する側の面は、光源用基板８８を面で接触して保持する基板保持面６２０になっており、かかる基板保持面６２０には、以下の構造をもって、光源用基板８８が固定されている。
【００４３】
（光源用基板８８の固定構造）
図５（ａ）、（ｂ）に示すように、光源用基板８８の一方面８８１では、光源用基板８８の長手方向に沿って、複数の発光素子８９が実装されている。本形態において、複数の発光素子８９は、全て等間隔に配置されている。かかる構成の照明装置８において、ローカルディミングを採用するにあたって、複数の発光素子８９は、光源用基板８８の長手方向において隣り合って配置される複数の発光素子によって単位グループＧを複数（グループＧａ、Ｇｂ、Ｇｃ・・）構成してグループ分けされており、図１を参照して説明した光源駆動部２８０は、グループＧ毎に出射光強度（発光輝度）を制御する。図５（ｃ）には、グループＧａ、Ｇｃに属する発光素子８９が点灯し、グループＧｂ、Ｇｄに属する発光素子８９が消灯状態にある様子を示してある。なお、本形態において、複数の発光素子８９は、全て等間隔に配置されているため、同一のグループＧ内で複数の発光素子８９は等間隔に配置されている。このため、同一のグループＧに属する発光素子８９から出射された光源光が照明光として出射された際、かかる照明光では光強度分布（発光輝度分布）が均一である。
【００４４】
本形態において、光源用基板８８は、他方面８８２が光源支持部材６０の基板保持面６２０に面接触した状態で重なっており、この状態で、光源用基板８８は、位置決め用構造物としての金属製のネジ８６によって光源支持部材６０に位置決め固定されている。光源支持部材６０は、アルミニウムや鉄系金属等の金属製であり、かかる光源支持部材６０に対して、光源用基板８８の金属板８８７が接している。このため、発光素子８９で発生した熱は、光源用基板８８の金属板８８７から光源支持部材６０に伝達され、光源支持部材６０の熱は下フレーム４０に伝達されて放熱される。従って、発光素子８９の温度上昇を低く抑えることができる。
【００４５】
ここで、ネジ８６は、光源用基板８８の一方面８８１側から光源支持部材６０の基板保持面６２０に向けて止められており、ネジ８６の頭は、光源用基板８８の一方面８８１で露出した状態にある。また、ネジ８６は、発光素子８９の複数のグループＧ（グループＧａ、Ｇｂ、Ｇｃ・・）のうち、隣り合うグループＧの間に設けられている。
【００４６】
より具体的には、光源用基板８８において、隣り合うグループＧの間には、ネジ８６の軸部よりわずかに大径の貫通穴８８５が形成されているとともに、光源支持部材６０において貫通穴８８５と重なる位置にはネジ穴６２５が形成されている。本形態において、貫通穴８８５の光源用基板８８の一方面８８１側に位置する部分は、ネジ８６の頭よりわずかに大径の凹部８８６になっている。このため、ネジ８６の頭は、凹部８８６の内部に位置し、光源用基板８８の一方面８８１から突出していない。なお、ネジ８６は、隣り合うグループＧの間の全てに設ける必要はなく、本形態において、ネジ８６は、グループＧａとグループＧｂとの間Ｍａｂ、およびグループＧｂとグループＧｃとの間Ｍｂｃに設けられているが、グループＧｃとグループＧｄとの間Ｍｃｄには設けられていない。
【００４７】
なお、図５には、表示装置１００のＹ軸方向の一方側Ｙ１（樹脂フレーム３０のフレーム板３１が位置する側）の構造を示してあるが、表示装置１００のＹ軸方向の他方側Ｙ２（樹脂フレーム３０のフレーム板３２が位置する側）も同様な構造になっている。
【００４８】
（本形態の主な効果）
以上説明したように、本形態の照明装置８および表示装置１００では、複数の発光素子８９が光源用基板８８の一方面８８１に実装され、かかる光源用基板８８は、金属製のネジ８６（位置決め用構造物）によって他方面８８２側の光源支持部材６０に支持されている。また、複数の発光素子８９は複数のグループＧに分割されており、光源駆動部２８０は、表示パネル１０における表示画像の領域的な明暗の状態に連動してグループＧ毎に発光量を切り換え、面状の照明装置８としての照明光の出射光強度を領域毎に制御する。ここで、ネジ８６は、光源用基板８８の一方面８８１側に少なくとも一部（頭）が露出しているため、光源用基板８８の一方面８８１の表面状態は、ネジ８６が位置する部分が他の領域と相違していることになるが、ネジ８６は、隣り合うグループＧの間に設けられている。このため、ネジ８６が原因で照明光の出射状態（光の散乱状態や反射状態）が周囲と不連続になる箇所が発生したとしても、かかる不連続部分は、ローカルディミングにおいて照明装置８からの照明光の出射光強度（発光輝度）が制御される領域の間に位置する。従って、ネジ８６に起因して照明光の出射光強度が不連続となる部分が発生しても、かかる不連続に起因する表示品位の低下が目立たない。
【００４９】
［実施の形態２］
図６は、本発明の実施の形態２に係る表示装置１００の照明装置８に用いた発光素子８９および光源用基板８８等の説明図である。なお、本形態の基本的な構成は、実施の形態１と同様であることから共通する部分には同一の符号を付して、それらの説明を省略する。
【００５０】
図６に示すように、本形態でも、実施の形態１と同様、光源用基板８８の一方面８８１では、光源用基板８８の長手方向に沿って、複数の発光素子８９が実装されている。また、本形態でも、照明装置８においてローカルディミングを採用するにあたって、実施の形態１と同様、複数の発光素子８９は、光源用基板８８の長手方向において複数のグループＧ（グループＧａ、Ｇｂ、Ｇｃ・・）にグループ分けされており、図１を参照して説明した光源駆動部２８０は、グループＧ毎に出射光強度を制御する。
【００５１】
ここで、実施の形態１では、全ての発光素子８９が等間隔に配置されていたが、本形態では、グループＧ内では発光素子８９が等間隔に配置されているが、隣り合うグループＧに属して隣り合う発光素子８９同士の間隔は、同一のグループＧに属して隣り合う発光素子８９同士の間隔と相違した間隔が設定されている。本形態では、隣り合うグループＧに属して隣り合う発光素子８９同士の間隔は、同一のグループＧに属して隣り合う発光素子８９同士の間隔より広くなっている。
【００５２】
このように構成した照明装置８において、光源用基板８８をネジ８６によって光源支持部材６０に固定するにあたって、ネジ８６は、光源用基板８８の一方面８８１側から止められており、ネジ８６の頭は、光源用基板８８の一方面８８１において凹部８８６内で露出した状態にある。ここで、ネジ８６は、発光素子８９の複数のグループＧ（グループＧａ、Ｇｂ、Ｇｃ・・）のうち、隣り合うグループＧの間に設けられている。より具体的には、光源用基板８８において、隣り合うグループＧの間Ｍａｂ、Ｍｂｃにネジ８６が設けられている。このため、広い間隔の中（概ね中央部）に配置されたネジ８６の表面（金属表面）によって、隣接する発光素子８９から出射された光の一部が反射される作用も生じるので、仮想的に広い間隔の中に微小な輝度の光源（発光強度の小さな光源）が配置された状態にもなり、不連続性が補われることにもなる。また、実施の形態１と同様、ネジ８６が原因で照明光の出射光強度が周囲と不連続になる箇所が発生したとしても、かかる不連続部分は、ローカルディミングにおいて照明装置８からの照明光の出射光強度が制御される領域の間に位置する。従って、ネジ８６に起因して照明光の出射光強度が不連続となる部分が発生しても、かかる不連続に起因する表示品位の低下が目立たない。
【００５３】
［実施の形態３］
図７は、本発明の実施の形態３に係る表示装置１００の照明装置８に用いた発光素子８９および光源用基板８８等の説明図である。なお、本形態の基本的な構成は、実施の形態１、２と同様であることから共通する部分には同一の符号を付して、それらの説明を省略する。
【００５４】
図７に示すように、本形態でも、実施の形態１、２と同様、光源用基板８８の一方面８８１では、光源用基板８８の長手方向に沿って、複数の発光素子８９が実装されている。また、本形態でも、照明装置８においてローカルディミングを採用するにあたって、実施の形態１と同様、複数の発光素子８９は、光源用基板８８の長手方向において複数のグループＧ（グループＧａ、Ｇｂ、Ｇｃ・・）にグループ分けされており、図１を参照して説明した光源駆動部２８０は、グループＧ毎に出射光強度（発光輝度）を制御する。ここで、隣り合う異なったグループＧに属して隣り合う発光素子８９同士の間隔は、実施の形態２と同様、同一のグループＧに属して隣り合う発光素子８９同士の間隔より広くなっている。
【００５５】
ここで、光源用基板８８は、実施の形態１、２においては、長手方向に一体に延在していたが、本形態において、光源用基板８８は、隣り合うグループＧの間Ｍｂｃで分割されている。つまり、大型テレビ・モニターにおいては長辺方向とされるＸ軸方向に複数の光源用基板８８を導光板８０の光入射部８０ａに沿って配置させるケースがある。その場合、光源用基板８８とこれに隣接する光源用基板８８の間は、発光が制御される単位グループＧと単位グループＧの間に相当するものとされている。かかる構成でも、本形態では、光源用基板８８をネジ８６によって光源支持部材６０に固定するにあたって、ネジ８６は、光源用基板８８の一方面８８１側から止められており、ネジ８６の頭は、光源用基板８８の一方面８８１において凹部８８６内で露出した状態にある。また、ネジ８６は、発光素子８９の複数のグループＧ（グループＧａ、Ｇｂ、Ｇｃ・・）のうち、隣り合うグループＧの間に設けられている。より具体的には、光源用基板８８において、隣り合うグループＧの間Ｍａｂ、Ｍｂｃにネジ８６が設けられている。このため、隣接する光源用基板８８の端部にそれぞれ寄せられて配置された２箇所のネジ８６の表面（金属表面）によって、隣接する発光素子から発光された光の一部が反射される作用も生じるので、仮想的に広い間隔の中に微小な輝度の光源（発光強度の小さな光源）が、隣接する光源用基板８８の間に対応した位置に２つ配置された状態にもなり、不連続性が補われることにもなる。また、実施の形態１と同様、ネジ８６が原因で照明光の出射光強度が周囲と不連続になる箇所が発生するとしても、かかる不連続部分は、ローカルディミングにおいて照明装置８からの照明光の出射光強度が制御される領域の間に位置する。従って、ネジ８６に起因して照明光の出射光強度が不連続となる部分が発生しても、かかる不連続に起因する表示品位の低下が目立たない。
【００５６】
また、本形態では、光源用基板８８が分割されていたが、分割位置は、隣り合うグループＧの間Ｍｂｃである。従って、光源用基板８８の分割部分が原因で照明光の出射光強度が周囲と不連続になる箇所が発生するとしても、かかる不連続部分は、ローカルディミングにおいて照明装置８からの照明光の出射光強度が制御される領域の間に位置する。従って、光源用基板８８の分割部分に起因して照明光の出射光強度が不連続となる部分が発生しても、かかる不連続に起因する表示品位の低下が目立たない。
【００５７】
［実施の形態４］
図８は、本発明の実施の形態４に係る表示装置１００の照明装置８に用いた発光素子８９および光源用基板８８等の説明図である。なお、本形態の基本的な構成は、実施の形態１〜３と同様であることから共通する部分には同一の符号を付して、それらの説明を省略する。
【００５８】
図８に示すように、本形態でも、実施の形態１〜３と同様、光源用基板８８の一方面８８１では、光源用基板８８の長手方向に沿って、複数の発光素子８９が実装されている。また、本形態でも、照明装置８においてローカルディミングを採用するにあたって、実施の形態１と同様、複数の発光素子８９は、光源用基板８８の長手方向において複数のグループＧ（グループＧａ、Ｇｂ、Ｇｃ・・）にグループ分けされており、図１を参照して説明した光源駆動部２８０は、グループＧ毎に出射光強度（発光輝度）を制御する。
【００５９】
実施の形態４では、実施の形態２，３と同様、グループＧ内では発光素子８９が等間隔に配置されているが、隣り合うグループＧに属して隣り合う発光素子８９同士の間隔は、同一のグループＧに属して隣り合う発光素子８９同士の間隔と相違した間隔が設定されている。本形態では、隣り合うグループＧに属して隣り合う発光素子８９同士の間隔は、同一のグループＧに属して隣り合う発光素子８９同士の間隔より広くなっている。
【００６０】
また、光源用基板８８において、光源用基板８８の端部とグループＧａとの間には、ネジ８６を設けるための間隔が設けられている。この間隔を、端部とグループＧａとの間Ｍａｅと称する。
【００６１】
このように構成した照明装置８において、光源用基板８８をネジ８６によって光源支持部材６０に固定するにあたって、ネジ８６は、光源用基板８８の一方面８８１側から止められており、ネジ８６の頭は、光源用基板８８の一方面８８１において凹部８８６内で露出した状態にある。
【００６２】
また、本実施形態のネジ８６は、複数のグループＧのうち、２つのグループＧおきに１つ配置されるようになっている。具体的には、例えば、光源用基板８８の端部とグループＧａとの間Ｍａｅ、グループＧｂとグループＧｃとの間Ｍｂｃにネジ８６が配置されている。つまり、グループＧａとグループＧｂとの間Ｍａｂにはネジ８６が配置されない。
【００６３】
このように、実施の形態１と同様、ネジ８６が原因で照明光の出射光強度が周囲と不連続（不均一）になる箇所が発生したとしても、かかる不連続部分は、ローカルディミングにおいて照明装置８からの照明光の出射光強度が制御される領域（グループ単位）の間に位置する。従って、ネジ８６に起因して照明光の出射光強度が不連続となる部分が発生しても、かかる不連続に起因する表示品位の低下が目立たない。
【００６４】
また、規則性を有する間隔で配置されたネジ８６の表面（金属表面）によって、隣接する発光素子８９から出射された光の一部が反射される作用も生じるので、仮想的に広い間隔の中に微小な輝度の光源（発光強度の小さな光源）が配置された状態にもなり、不連続性が補われることにもなる。
【００６５】
［実施の形態５］
図９は、本発明の実施の形態４に係る表示装置１００の要部の断面図である。なお、本形態の基本的な構成は、実施の形態１、２と同様であることから共通する部分には同一の符号を付して、それらの説明を省略する。
【００６６】
上記の実施の形態１〜４では、光源用基板８８において発光素子８９が実装されている一方面８８１は、導光板８０の光入射部８０ａに対向している構成であったが、本形態では、図９に示すように、光源用基板８８において発光素子８９が実装されている一方面８８１は、導光板８０の光入射部８０ａに９０°の角度を成して交差する方向に向いている。但し、発光素子８９は、光源用基板８８の一方面８８１に平行な方向に発光面８９ａを向けている。従って、発光素子８９は、光入射部８０ａから導光板８０の内部に光源光を入射させることができる。なお、本形態では、光源支持部材６０において、基板保持面６２０は、下板部６１に形成されており、導光板８０の光入射部８０ａに９０°の角度を成して交差する方向に向いている。また、光源支持部材６０では、下板部６１から垂直に起立する垂直板部６８が導光板８０の光入射部８０ａに対向している。
【００６７】
かかる構成の照明装置８において、実施の形態１と同様、光源用基板８８をネジ８６によって光源支持部材６０に固定するにあたって、ネジ８６は、隣り合うグループＧの間において光源用基板８８の一方面８８１から止められている。このため、実施の形態１と同様、ネジ８６が原因で照明光の出射光強度が周囲と不連続になる箇所が発生するとしても、かかる不連続部分は、ローカルディミングにおいて照明装置８からの照明光の出射光強度が制御される領域の間に位置する。従って、ネジ８６に起因して照明光の出射光強度が不連続となる部分が発生しても、かかる不連続に起因する表示品位の低下が目立たない。
【００６８】
［他の実施の形態］
光源用基板８８を光源支持部材６０に位置決めする位置決め用構造物としてネジ８６を例示したが、フック（位置決め用構造物）により光源用基板８８を保持した構造や、光源用基板８８に設けた穴に光源支持部材６０の凸部（位置決め用構造物）が嵌合して光源用基板８８を保持した構造の場合に本発明を適用してもよい。
【００６９】
上記実施の形態では、走査線の延在方向（Ｘ軸方向）に複数の発光素子８９を配列させた構成を例示したが、データ線の延在方向（Ｙ軸方向）に複数の発光素子８９を配列させた表示装置１００に本発明を適用してもよい。かかる構成の場合、ローカルディミングを採用することができるとともに、走査信号によって選択された画素列がシフトしている動作に対応して、照明装置８から照明光が出射されるスキャンバックライト方式を採用することができる。
【００７０】
［他の実施の形態］
上記実施の形態４において、２つのグループＧおきにネジ８６を配置するようにしたが、これに限定されず、例えば、３つのグループＧおきにネジ８６を配置するようにしてもよい。
【００７１】
このように、実施の形態１と同様、ネジ８６が原因で照明光の出射光強度が周囲と不連続（不均一）になる箇所が発生したとしても、かかる不連続部分は、ローカルディミングにおいて照明装置８からの照明光の出射光強度が制御される領域（グループ単位）の間に位置する。従って、ネジ８６に起因して照明光の出射光強度が不連続となる部分が発生しても、かかる不連続に起因する表示品位の低下が目立たない。
【００７２】
また、規則性を有する間隔で配置されたネジ８６の表面（金属表面）によって、隣接する発光素子８９から出射された光の一部が反射される作用も生じるので、仮想的に広い間隔の中に微小な輝度の光源（発光強度の小さな光源）が配置された状態にもなり、不連続性が補われることにもなる。
【００７３】
［電子機器への搭載例］
上述実施形態では、表示装置１００を搭載した電子機器２０００として、液晶テレビを例示したが、液晶テレビ以外にも、パーソナルコンピューターのディスプレイ、デジタルサイネージ、カーナビゲーション装置、携帯用情報端末等の電子機器の表示部に本発明を適用した表示装置１００を用いてもよい。
【符号の説明】
【００７４】
８・・照明装置、１０・・表示パネル、６０・・光源支持部材、８０・・導光板、８０ａ・・光入射部、８０ｂ・・光出射面、８６・・ネジ（位置決め用構造物）、８８・・光源用基板、８９・・発光素子（光源）、１００・・表示装置、２８０・・光源駆動部。
【図１】
0005794126.tif 000002
【図２】
0005794126.tif 000003
【図３】
0005794126.tif 000004
【図４】
0005794126.tif 000005
【図５】
0005794126.tif 000006
【図６】
0005794126.tif 000007
【図７】
0005794126.tif 000008
【図８】
0005794126.tif 000009
【図９】
0005794126.tif 000010
【図１０】
0005794126.tif 000011